(57)【要約】      （修正有）【課題】未使用時にはコンパクトに収納できるとともに、使用時には、載置された段ボールを紐で容易に縛ることができるシート状体ストッカーを提供する。【解決手段】畳まれた段ボールを厚み方向に重ねて載置するべく離間して配置された一対の載置部３１、３２、及び、前記一対の載置部同士を前記段ボールとの接触箇所よりも下方で連結する連結部３３、を有する基台と、前記一対の載置部に着脱自在に装着されて、載置された前記段ボールを跨ぐように配置される支持部５とを具備する。【選択図】図２
0003225403.tif 000002
【実用新案登録請求の範囲】
【請求項１】
シート状体を厚み方向に重ねて載置するべく離間して配置された一対の載置部、及び、前記一対の載置部同士を前記シート状体との接触箇所よりも下方で連結する連結部、を有する基台と、
前記一対の載置部に着脱自在に装着されて、載置された前記段ボールを跨ぐように配置される支持部と、
を具備することを特徴とするシート状体ストッカー。
【請求項２】
前記支持部は、逆Ｕ字状を呈する棒状部材であり、
前記一対の載置部は、前記支持部の先端を受け入れる穴を有すること、
を特徴とする請求項１に記載のシート状体ストッカー。
【請求項３】
前記連結部は、前記接触箇所よりも５ｃｍ以上下方に配置されていること、
を特徴とする請求項１又は２に記載のシート状体ストッカー。
【考案の詳細な説明】
【技術分野】
【０００１】
本考案は、組み立て前の畳まれた段ボール等のシート状体を保管するためのシート状体ストッカーに関する。
【背景技術】
【０００２】
畳まれた段ボールを保管するべく、ベース上に２つのサイドガードが対向して設けられた段ボールラックが知られている。かかる段ボールラックでは、一方のサイドガードは他方のサイドガードに向けて移動するため、段ボールの保管量が適量に達した段階で、段ボールを板厚方向に圧縮しながら粘着テープなどにより結束することができる（例えば特許文献１）。
【先行技術文献】
【特許文献】
【０００３】
【特許文献１】特開２００２−３７２２５号公報
【考案の概要】
【考案が解決しようとする課題】
【０００４】
上述した段ボールラックは、不使用時には、２つのサイドガードを折り畳むことでコンパクトに収納できるものの、載置された段ボールを結束する際には、例えば紐などの他の手段で結束することに適していない。
【０００５】
そこで、本考案の目的は、不使用時にはコンパクトに収納できるとともに、載置された段ボールを紐で容易に縛ることができる段ボールストッカーを提供することにある。
【課題を解決するための手段】
【０００６】
上記の課題を解決すべく、本考案は、
シート状体を厚み方向に重ねて載置するべく離間して配置された一対の載置部、及び、前記一対の載置部同士を前記シート状体との接触箇所よりも下方で連結する連結部、を有する基台と、
前記一対の載置部に着脱自在に装着されて、載置された前記シート状体を跨ぐように配置される支持部と、
を具備することを特徴とするシート状体ストッカーを提供する。
【０００７】
また、上記のような構成を有する本考案のシート状体ストッカーでは、
前記支持部が、逆Ｕ字状を呈する棒状部材であり、
前記一対の載置部が、前記支持部の先端を受け入れる穴を有すること、が好ましい。
【０００８】
また、上記のような構成を有する本考案のシート状体ストッカーでは、
前記連結部が、前記接触箇所よりも５ｃｍ以上下方に配置されていること、が好ましい。
【考案の効果】
【０００９】
上記のような構成の本考案によれば、未使用時にはコンパクトに収納できるとともに、使用時には、載置されたシート状体を紐で容易に縛ることができる。
【図面の簡単な説明】
【００１０】
【図１】本実施形態に係る段ボールストッカー１の分解図である。
【図２】段ボールストッカー１の組立図である。
【図３】段ボールストッカー１の完成図である。
【図４】段ボールストッカー１上に段ボール７を載置した状態の一例を示す図である。
【図５】段ボールストッカー１上の段ボール７を紐９で縛る手順の一例を示す図である。
【考案を実施するための形態】
【００１１】
以下、本考案に係るシート状体ストッカーの一実施形態である段ボールストッカーについて、図面を参照しつつ詳細に説明する。ただし、本考案はこれら図面に限定されるものではない。また、図面は、本考案を概念的に説明するためのものであるから、理解容易のために、必要に応じて寸法、比又は数を誇張又は簡略化して表している場合もある。
【００１２】
図１〜図３に示すように、段ボールストッカー１は、基台３及び支持部５を含む。段ボールストッカー１は、例えばスチールやステンレス鋼などの金属材料で作製されるが、必要な強度を満たす限り、樹脂などの他の材料で作製されてもよい。
【００１３】
基台３は、シート状体のひとつである組み立て前の折り畳まれた段ボール７を載置するための部材であり、載置部３１，３２及び連結部３３を有する。載置部３１，３２は、所定の距離だけ離間して配置されている。この所定の距離は、紐９を通す作業の容易性の観点から、例えば９ｃｍ以上であることが好ましい。
【００１４】
載置部３１は、略長方形の頂点に相当する位置に立設されたパイプ３１１〜３１４と、隣り合うパイプ同士を連結する横棒３１５〜３１８と、を含む。パイプ３１１〜３１４の先端（上端）には、支持部５の先端を受け入れる穴３１１Ａ〜３１４Ａが形成されている。また、横棒３１６，３１７は、後述する横棒３２６，３２７とともに、載置された段ボール７の下縁と接触する接触箇所であり、略同じ高さに配置されている。
【００１５】
同様に、載置部３２は、略長方形の頂点に相当する位置に立設されたパイプ３２１〜３２４と、隣り合うパイプ同士を連結する横棒３２５〜３２８と、を含む。パイプ３２１〜３２４の先端（上端）には、支持部５の先端を受け入れる穴３２１Ａ〜３２４Ａが形成されている。例えば図１に示すように、パイプ３１１〜３１４及びパイプ３２１〜３２４の下端には、それぞれ樹脂製の滑止め３１１Ｂ〜３１４Ｂ及び３２１Ｂ〜３２４Ｂが装着されてもよく、これらの滑止めにより、段ボールストッカー１の不意の移動を抑制できるとともに、段ボールストッカー１の載置面が傷付くのを抑止できる。
【００１６】
連結部３３は、載置部３１，３２同士を連結する部材である。連結部３３は、図３に示すように、横棒３１６，３１７，３２６，３２７よりも（つまり載置部３１，３２に載置されている段ボール７の下端と載置部３１，３２との接触箇所よりも）、長さＬだけ下方に配置されている。
【００１７】
したがって、段ボールストッカー１上に段ボール７が載置されると、例えば図４に示すように、連結部３３と段ボール７との間に隙間Ｓが形成される。隙間Ｓは、図５（Ａ）に示すように、段ボール７を紐９で結束する際に紐９の通路として利用される。隙間Ｓの長さＬ（高さ）は、紐９を通す作業の容易性の観点から、例えば５ｃｍ以上であることが好ましい。
【００１８】
支持部５は、載置された段ボール７が倒れないように支持する部材であり、載置部３１，３２のそれぞれに着脱自在に装着される。支持部５は、載置部３１，３２のそれぞれに、互いに対向して配置されている。
【００１９】
もっとも、支持部５は、載置部３１，３２のうちの一方にだけ設けられてもよいし、載置部３１，３２にそれぞれ１つずつ（ただし、載置された段ボール７を挟むように互いに反対側に）設けられてもよい。
【００２０】
本実施形態では、支持部５は、図１に示すように、平行な棒５１，５２と、棒５１，５２同士を接続する接続部５３と、を含む棒状部材であり、全体として略Ｕ字状を呈している。図２に示すように、支持部５の先端は、載置部３１，３２におけるパイプ３１１〜３１４，パイプ３２１〜３２４の先端に嵌入される。なお、支持部５は、例えば板状でもよい。
【００２１】
上記の構成を有する段ボールストッカー１は、未使用の状態では、分解してコンパクトに保管できる。また、段ボールストッカー１は、使用の際には、図２に示すように、基台３の穴３１１Ａ〜３１４Ａ，３２１Ａ〜３２４Ａに支持部５の先端を差し込むことで簡易に組み立てることができる。そして、段ボールストッカー１は、図４に示すように、段ボール７をスッキリと保管することができるとともに、薄型ゆえに例えば部屋の隅に設置することが可能である。
【００２２】
そして、段ボールストッカー１上に段ボール７がたまると、図５（Ａ）に示すように、段ボール７を載置したまま反対側に紐９を垂らし、隙間Ｓ（通し通路）から紐９を手前に引っ張り出す。次いで、図５（Ｂ）に示すように、段ボール７の中央で紐９を結び、十字にして紐９を結ぶ。このように、段ボールストッカー１では、段ボール７を置いたまま、紐９で容易に結束することができる。
【００２３】
以上、本発明の代表的な実施形態について説明したが、本発明はこれらに限定されるものではなく、種々の設計変更が可能であり、それらも本発明に含まれる。
【符号の説明】
【００２４】
１・・・段ボールストッカー、
３・・・基台、
５・・・支持部、
３１，３２・・・載置部、
３３・・・連結部、
Ｓ・・・隙間。
【図１】
0003225403.tif 000003
【図２】
0003225403.tif 000004
【図３】
0003225403.tif 000005
【図４】
0003225403.tif 000006
【図５】
0003225403.tif 000007
【手続補正書】
【提出日】令和1年12月27日(2019.12.27)
【手続補正１】
【補正対象書類名】実用新案登録請求の範囲
【補正対象項目名】請求項１
【補正方法】変更
【補正の内容】
【請求項１】
シート状体を厚み方向に重ねて載置するべく離間して配置された一対の載置部、及び、前記一対の載置部同士を前記シート状体との接触箇所よりも下方で連結する連結部、を有する基台と、
前記一対の載置部に着脱自在に装着されて、載置された前記シート状体を跨ぐように配置される支持部と、
を具備することを特徴とするシート状体ストッカー。